(57)【要約】【課題】傾斜型ファイバーブラッググレーティングの計測精度を向上させること。【解決手段】予め設定された間隔で凹凸が形成された位相マスク（１４）の光が照射される面（１４ａ）に対して、接近離間する方向に長手方向が傾斜した状態の光ファイバー（１５）のコア（１５ａ）に、位相マスク（１４）を通過させた２５０ｎｍ帯のコヒーレントなレーザー光（２ａ）を照射することにより、光ファイバー（１５）のコア（１５ａ）の屈折率が、光ファイバー（１５）の長手方向に対して周期的に異なり、且つ、屈折率が異なる部分が長手方向に対して傾斜する傾斜型ファイバーブラッググレーティング（１５ｄ）を作製することを特徴とする傾斜型ファイバーブラッググレーティングの製造方法。【選択図】図１
2013054273.tif 000002
【特許請求の範囲】
【請求項１】
予め設定された間隔で凹凸が形成された位相マスクの光が照射される面に対して、接近離間する方向に長手方向が傾斜した状態の光ファイバーのコアに、位相マスクを通過させた波長２５０ｎｍ帯のコヒーレントなレーザー光を照射することにより、前記光ファイバーのコアの屈折率が、前記光ファイバーの長手方向に対して周期的に異なり、且つ、屈折率が異なる部分が前記長手方向に対して傾斜する傾斜型ファイバーブラッググレーティングを作製することを特徴とする傾斜型ファイバーブラッググレーティングの製造方法。
【請求項２】
固体レーザーの高調波により構成された前記レーザー光を使用することを特徴とする請求項１に記載の傾斜型ファイバーブラッググレーティングの製造方法。
【請求項３】
予め設定された間隔で凹凸が形成された位相マスクの光が照射される面に対して、接近離間する方向に長手方向が傾斜した状態の光ファイバーのコアに、位相マスクを通過させた波長２５０ｎｍ帯のコヒーレントなレーザー光を照射することにより作製され、前記光ファイバーのコアの屈折率が、前記光ファイバーの長手方向に対して周期的に異なり、且つ、屈折率が異なる部分が前記長手方向に対して傾斜することを特徴とする傾斜型ファイバーブラッググレーティング。
【請求項４】
波長２５０ｎｍ帯のコヒーレントなレーザー光を出力するレーザー光源と、
前記レーザー光の光路上に配置され、予め設定された間隔で凹凸が形成された位相マスクと、
光ファイバーを支持し、且つ、前記位相マスクの光が照射される面と、前記光ファイバーの長手方向との傾斜角を調整可能なステージと、
を備え、
前記位相マスクの光が照射される面に対して接近離間する方向に、光ファイバーの長手方向が傾斜された状態で、前記光ファイバーのコアに前記位相マスクを通過した前記レーザー光を照射することにより、前記光ファイバーのコアの屈折率を、前記光ファイバーの延びる方向に対して傾斜し且つ周期的に異ならせた傾斜型ファイバーブラッググレーティングを作製することを特徴とする傾斜型ファイバーブラッググレーティングの製造装置。
【発明の詳細な説明】
【技術分野】
【０００１】
本発明は、光ファイバーのコアの部分に長手方向に沿って周期的に屈折率が異なる部分が配置され且つ屈折率が異なる部分が長手方向に傾斜する傾斜型ファイバーブラッググレーティング、傾斜型ファイバーブラッググレーティングの製造方法および傾斜型ファイバーブラッググレーティングの製造装置に関する。
【背景技術】
【０００２】
光ファイバーのコア部に周期的な屈折率変化を持たせたファイバーブラッググレーティング（FBG: Fiber Bragg Grating）を使用して、光ファイバーの内部を通過する光の波長の変動を測定することで、歪みなどの機械的な変形量を検知する技術が、特許文献１（特開２００１−２２１６１５号公報）等で従来公知である。
前記ＦＢＧでは、物質の化学的性質の検知などには使用できないが、屈折率変化をコア部の軸方向（光ファイバーの長手方向）に対して傾斜させた傾斜型ＦＢＧ（TFBG：Tilted Fiber Bragg Grating）を使用して、液体の屈折率変化など、光ファイバーに接触している外部環境の非力学的物理量の変化を捉えられることができることが知られている。前記ＴＦＢＧに関する技術として、以下の非特許文献１，２が知られている。
【０００３】
非特許文献１には、Lloyd  Mirror（反射鏡）を使用し且つ干渉性（コヒーレンス）の良いアルゴンイオンレーザー（Ａｒ＋レーザー）を使用して、非特許文献１中のFig.５に示すように、干渉縞が発生する空間に、光ファイバーをθ［度］傾けておいて、ＴＦＢＧを作製する方法が記載されている。
非特許文献２には、位相マスクを使用し且つ位相マスクを面内で回転させて、位相マスクの下に光ファイバーをおいて、光ファイバーを傾けることなく、コヒーレンスのそれほど高くないＫｒＦエキシマレーザーを照射して、ＴＦＢＧを作製する方法が記載されている。
【先行技術文献】
【特許文献】
【０００４】
【特許文献１】特開２００１−２２１６１５号公報
【非特許文献】
【０００５】
【非特許文献１】G.Laffont、他１名、「Tilted short-period fibre-Bragg-grating-induced coupling to cladding modes for accurate refractometry 」、Measurement Science and Technology、Institute of Physics Publishing、2001年、12号、p.765-770
【非特許文献２】Yinping Miao、他３名、「Temperature-insensitive refractive index sensor based on tilted fiber bragg grating」、microwave and optical technology letters、Wiley Periodicals, Inc、2009年2月、Vol.51、No.2、p.479-483
【発明の概要】
【発明が解決しようとする課題】
【０００６】
（従来技術の問題点）
前記非特許文献１記載の技術では、非特許文献１中にも記載されているが調整に気をつける必要があり、微調整（微妙な光学調整）を要するため、高精度のＴＦＢＧを作製することが難しい問題がある。したがって、ＴＦＢＧの計測精度が低く、精度の良い計測ができない問題があり、非特許文献１のFig.10に記載されているように、計測可能な屈折率が１．３２〜１．４２程度であった。また、非特許文献１記載のＡｒ＋レーザーを使用する場合、例えば、３００［ｍＷ］の出力を得ようとすると、６０〜１００［ｋＷ］以上の電力を必要とし、高価、短寿命、ランニングコストが高いという問題もある。
【０００７】
非特許文献２記載の技術では、位相マスクを使用しているため、微調整（微妙な光学調整）が不要になるが、低コストであるがコヒーレンスのそれほど高くないＫｒＦエキシマレーザーを照射しているため、ＴＦＢＧを作製可能な干渉縞が位相マスクの直下の０．１ｍｍオーダーの範囲しか発生させられず、位相マスクと光ファイバーとを近接しておかなければならない。したがって、位相マスクと光ファイバーとが１ｍｍ離れるとＴＦＢＧを作製できない制約が生じ、高精度のＴＦＢＧを作製することが難しい問題がある。したがって、非特許文献２記載の技術でも、ＴＦＢＧの計測精度が悪く、非特許文献２のFig.6、Fig.7に記載されているように、やはり、計測可能な屈折率が１．３２〜１．４４程度しか計測できない問題があった。
すなわち、ＴＦＢＧの技術分野では、高価なＡｒ＋レーザーを使用する場合は、コヒーレンスが高いので、位相マスクを使用する必要が無く、逆に、低コストなＫｒＦエキシマレーザーを使用する場合には、コヒーレンスが低いため、位相マスクを使用することが技術常識となっていた。
【０００８】
本発明は、傾斜型ファイバーブラッググレーティングの計測精度を向上させることを技術的課題とする。
【課題を解決するための手段】
【０００９】
前記技術的課題を解決するために、請求項１に記載の発明の傾斜型ファイバーブラッググレーティングの製造方法は、
予め設定された間隔で凹凸が形成された位相マスクの光が照射される面に対して、接近離間する方向に長手方向が傾斜した状態の光ファイバーのコアに、位相マスクを通過させた波長２５０ｎｍ帯のコヒーレントなレーザー光を照射することにより、前記光ファイバーのコアの屈折率が、前記光ファイバーの長手方向に対して周期的に異なり、且つ、屈折率が異なる部分が前記長手方向に対して傾斜する傾斜型ファイバーブラッググレーティングを作製することを特徴とする。
【００１０】
請求項２に記載の発明は、請求項１に記載の傾斜型ファイバーブラッググレーティングの製造方法において、
固体レーザーの高調波により構成された前記レーザー光を使用することを特徴とする。
【００１１】
前記技術的課題を解決するために、請求項３に記載の発明の傾斜型ファイバーブラッググレーティングは、
予め設定された間隔で凹凸が形成された位相マスクの光が照射される面に対して、接近離間する方向に長手方向が傾斜した状態の光ファイバーのコアに、位相マスクを通過させた波長２５０ｎｍ帯のコヒーレントなレーザー光を照射することにより作製され、前記光ファイバーのコアの屈折率が、前記光ファイバーの長手方向に対して周期的に異なり、且つ、屈折率が異なる部分が前記長手方向に対して傾斜することを特徴とする。
【００１２】
前記技術的課題を解決するために、請求項４に記載の発明の傾斜型ファイバーブラッググレーティングの製造装置は、
波長２５０ｎｍ帯のコヒーレントなレーザー光を出力するレーザー光源と、
前記レーザー光の光路上に配置され、予め設定された間隔で凹凸が形成された位相マスクと、
光ファイバーを支持し、且つ、前記位相マスクの光が照射される面と、前記光ファイバーの長手方向との傾斜角を調整可能なステージと、
を備え、
前記位相マスクの光が照射される面に対して接近離間する方向に、光ファイバーの長手方向が傾斜された状態で、前記光ファイバーのコアに前記位相マスクを通過した前記レーザー光を照射することにより、前記光ファイバーのコアの屈折率を、前記光ファイバーの延びる方向に対して傾斜し且つ周期的に異ならせた傾斜型ファイバーブラッググレーティングを作製することを特徴とする。
【発明の効果】
【００１３】
請求項１、４に記載の発明によれば、本発明の構成を有しない場合に比べて、傾斜型ファイバーブラッググレーティングの計測精度を向上させることができる。
請求項２に記載の発明によれば、低コストでコヒーレントなレーザー光を容易に得ることができる。
請求項３に記載の発明によれば、本発明の構成を有しない場合に比べて、計測精度を向上させることができる。
【図面の簡単な説明】
【００１４】
【図１】図１は本発明の実施例１の傾斜型ファイバーブラッググレーティンの製造装置の説明図である。
【図２】図２は実施例と従来の構成との対比説明図であり、図２Ａは従来構成の位相マスクを使用したＴＦＢＧの作製方法の説明図、図２Ｂは従来法におけるレーザー光の進行の様子の説明図、図２Ｃは実施例１のＴＦＢＧの作製方法の説明図である。
【図３】図３は実験例の説明図であり、図１に示す製造装置に透過スペクトル測定用のＡＳＥ光源およびＯＳＡを接続した実験装置の説明図である。
【図４】図４は透過スペクトルの計測結果の説明図であり、横軸に波長（wavelength）を取り、縦軸に透過率（transmittance）を取ったグラフである。
【図５】図５は液体の屈折率を計測するための実験の説明図である。
【図６】図６は液体の屈折率の計測実験で使用された試料の一覧の説明図である。
【図７】図７は液体を垂らした場合の透過強度の計測実験の結果の説明図であり、横軸に波長（wavelength）を取り、縦軸に透過率（transmittance）を取ったグラフである。
【図８】図８は実験例の光ファイバーを使用した屈折率変化の実験結果の説明図であり、横軸に屈折率（Refractive Index）をとり、縦軸に相対波長変化（Relative Wavelength Shift）を取ったグラフである。
【発明を実施するための形態】
【００１５】
次に図面を参照しながら、本発明の実施の形態の具体例（以下、実施例と記載する）を説明するが、本発明は以下の実施例に限定されるものではない。
なお、以下の図面を使用した説明において、理解の容易のために説明に必要な部材以外の図示は適宜省略されている。
【実施例１】
【００１６】
図１は本発明の実施例１の傾斜型ファイバーブラッググレーティングの製造装置の説明図である。
図１において、実施例１の傾斜型ファイバーブラッググレーティングの製造装置１は、コヒーレントな紫外レーザー光２ａを出力するレーザー光源２を有する。実施例１のレーザー光源２は、波長１０６４ｎｍのレーザー光３ａを出力するＮｄ：ＹＡＧレーザー３と、非線形光学結晶等により構成されてレーザー光３ａから紫外領域のレーザー光２ａとしての波長２６６ｎｍの４次高調波を発生させる波長変換器４とを有する。
前記レーザー光源２から出力された紫外レーザー光２ａは、複数の反射鏡５，６，７，８，９や複数のシリンドリカルレンズ１１，１２，１３を有する光学系５〜１３を経て、一方向に集光して、位相マスク１４を通じて、光ファイバー１５に照射される。
【００１７】
実施例１の位相マスク１４は、予め設定された間隔（格子間隔）で凹凸が形成された従来公知の位相マスク（フェーズマスク）である。
前記光ファイバー１５は、長手方向に延びるコア１５ａと、コア１５ａの外周を被覆し且つコア１５ａよりも屈折率の低いクラッド１５ｂと、内部を保護するためにクラッド１５ｂの外周を被覆する被覆１５ｃと、を有する。実施例１の光ファイバー１５のコア１５ａには紫外光を感受するゲルマニウムが添加されており、被覆１５ｃが剥かれた状態の光ファイバー１５のコア１５ａに対して、紫外光が照射されると構造欠陥が誘起され、屈折率が変化する。
前記光ファイバー１５は、位相マスク１４の光が照射される面１４ａに対して傾斜角θを調整可能な回転ステージ１６上に支持されている。したがって、位相マスク１４の格子間隔をΛpmとし、光ファイバー１５と位相マスク１４との成す角をθextとした場合、光ファイバー１５には、以下の式（１）で示される間隔Λtfbgの回折格子１５ｄが作り出される。
Λtfbg＝Λpm／（２cosθext）  …式（１）
【００１８】
（実施例１の作用）
前記構成を備えた製造装置１では、位相マスク１４に対して角度θext傾斜した光ファイバー１５のコア１５ａに対して、位相マスク１４を通過した紫外光が照射されると、コア１５ａに、光ファイバー１５の長手方向に対して格子間隔Λtfbgをあけて、長手方向に角度θext傾斜した周期的な屈折率の変化が発生する。すなわち、ＴＦＢＧが作製される。
ここで、実施例１では、レーザー光源２にＮｄ：ＹＡＧレーザー３が使用されており、Ａｒ＋レーザーを使用する場合に比べて、低コスト且つ長寿命で安定したレーザー光を発生させることができ、Ｎｄ：ＹＡＧレーザーの４次高調波を利用して、２５０ｎｍ帯に近い２６６ｎｍの紫外領域のレーザー光を発生させることができる。
【００１９】
図２は実施例と従来の構成との対比説明図であり、図２Ａは従来構成の位相マスクを使用したＴＦＢＧの作製方法の説明図、図２Ｂは従来法におけるレーザー光の進行の様子の説明図、図２Ｃは実施例１のＴＦＢＧの作製方法の説明図である。
また、実施例１では、Ｎｄ：ＹＡＧレーザー３と、位相マスク１４とを使用しており、非特許文献１記載の技術に比べて、微妙な光学調整が不要となる。そして、非特許文献２記載の技術のように、コヒーレンスの悪いＫｒＦエキシマレーザーを使用した場合には、図２Ａに示すように、位相マスク０１を光ファイバー０２に近接させる必要があり、近接状態を保持するために、位相マスク０１を紫外光０３が照射される面内で傾斜させる構成を採用せざるを得ない。
【００２０】
このとき、光ファイバー０２は円柱状であり、位相マスク０１を面内回転させた場合、それにより生じる２つの回折光の進行方向が光ファイバー０２の各部分に複雑な分布で入射することになる。そのことにより光ファイバー０２内部に生じる干渉縞の分布に一部乱れが生じ、作製されるＴＦＢＧの精度が低下しやすいという問題がある。
これに対して実施例１では図２Ｃに示すようにコヒーレンスのよいレーザー光源を使用しているため、位相マスク１４の下方広範囲の領域で精度良い干渉縞が安定して発生する。このため光ファイバー１５を接近離間する方向へ傾けることが可能である。この場合、位相マスク１４で生じる回折の方向、光ファイバー１５の傾き方向および光ファイバー１５の表面が円筒形になっているがゆえのレーザー光の進行方向の変化はすべて同一平面内（ｙｚ面）となり干渉縞の乱れが極小化される。したがって、実施例１のＴＦＢＧの製造装置１で作製されたＴＦＢＧを使用して計測精度を向上させることができる。
【００２１】
（実験例）
図３は実験例の説明図であり、図１に示す製造装置に透過スペクトル測定用のＡＳＥ光源およびＯＳＡを接続した実験装置の説明図である。
以下、実施例の効果を確認するための実験を行った。
実験では、実施例１の製造装置１を使用し、光ファイバー１５に照射されるレーザー光２ａの照射エネルギーは、５０［mJ/pulse］に調節した。また、実験例では、光ファイバー１５は、位相マスク１４との最小距離を約１ｍｍに調節し、紫外レーザー光２ａを照射中の張力は、５．９×１０−４［Ｎ］に設定した。
実験例では、光ファイバー１５として、水素導入した紫外光感受性光ファイバーＳＢＧ−１５（ニューポート社製）を使用した。この光ファイバーは、シングルモードであり、コア部分にゲルマニウム（Ge）とボロン（B）が共添加されている。また、光ファイバー１５にＴＦＢＧが作製される長手方向の長さを１０ｍｍに設定した。
また、実験例では、θext＝５°、１０°、１１°、１２°、１５°の条件で試料を作成した。なお、紫外レーザー光は、空気と光ファイバーとの界面で屈折するため、光ファイバー中に形成されるＴＦＢＧの傾斜角度は、それぞれ、３．３°、６．７°、７．３°、８．０°、９．９°になった。以下の説明では、形成されたＴＦＢＧの傾斜角度を使用して説明する。
【００２２】
さらに、実験例では、光ファイバー１５の透過スペクトルを計測するために、光ファイバー１５の一端側に、ＡＳＥ（Amplified Spontaneous Emission：自然放出光）光源１７を接続して、波長１５２０ｎｍ〜１６１０ｎｍの範囲の光を光ファイバー１５のコア１５ａに入射した。また、光ファイバー１５の他端側に、ＯＳＡ（Optical Spectrum Analyzer:光スペクトラムアナライザ）１８を接続して、光ファイバー１５を透過した光の透過スペクトルを計測した。なお、ＯＳＡ１８およびＡＳＥ光源１７に光ファイバー１５を接続するために、図示しないメカニカルスプライサ（接続具）を使用した。
紫外レーザー光２ａの照射時間は、透過スペクトルを計測するために十分な強度を得るために、２０分間で統一し、ＴＦＢＧを作製する間、スペクトルの変化を計測した。
【００２３】
（透過スペクトルの計測結果）
図４は透過スペクトルの計測結果の説明図であり、横軸に波長（wavelength）を取り、縦軸に透過率（transmittance）を取ったグラフである。
透過スペクトルの計測では、コアモードとクラッドモード（コアに入射された光がクラッドに漏れた高次モード）の透過スペクトルを観測し、スペクトル変化と屈折率変化との関係を調べた。図４に、照射時間２０分における８°のＴＦＢＧの透過スペクトルを示す。
図４において、ＬＰ11コアモードだけでなく、波長約１５２０ｎｍ〜１５７０ｎｍの範囲で多くのクラッドモードのピークを観測した。コアモードのピークは、波長１５８０ｎｍ付近にまで長波長側にシフトし、ピークの波高値は１．５［ｄＢ］であった。一方、最大１１．５［ｄＢ］のクラッドモードが１５４８ｎｍ付近に観測できた。また、クラッドモードにおいて、２種類の結合モード（ＬＰ1nとＬＰ2n）の重ね合わせも観測された。
【００２４】
（液体の屈折率の計測実験）
図５は液体の屈折率を計測するための実験の説明図である。
図６は液体の屈折率の計測実験で使用された試料の一覧の説明図である。
図５において、図３で作製され、図４の透過スペクトル特性を有する光ファイバーを使用して、液体の屈折率を計測する実験を行った。図５に示すように、光ファイバー１５の両端をメカニカルスプライサ２１を介して、ＡＳＥ光源１７およびＯＳＡ１８に接続し、光ファイバー１５をガラス２２で支持した状態で、長さ１０ｍｍのＴＦＢＧ１５ｄの全体を覆うように液体試料２３を垂らした。
計測する試料２３として、水、エタノール、グリセリン水溶液を使用した。グリセリン水溶液を選んだ理由は、水とグリセリンの混合率を変えることで、容易に溶液の屈折率を広範囲に変化させることが可能であるためである。実験で使用したグリセリン水溶液の濃度は１２％、２４％、３５％、４６％、６６％、８４％である。試料２３の濃度および屈折率の詳細なデータを図６に示す。
【００２５】
図７は液体を垂らした場合の透過強度の計測実験の結果の説明図であり、横軸に波長（wavelength）を取り、縦軸に透過率（transmittance）を取ったグラフである。
液体試料２３の屈折率の計測実験では、透過スペクトルの計測実験において、最大のクラッドモードのピークを示した８．０°のＴＦＢＧを使用して、液体の屈折率とピーク波長との関係を調べた。結果を図７に示す。
図７では、図４に示すクラッドモードの中から、包絡線の中心近傍で最も計測しやすい波長１５４３．７６ｎｍのピークのモードを選択し、ピークの波長変化を示した。図７において、屈折率が１から１．４１に変化したときに、それに対応して、選択したモードのピークが、波長１５４３．７６ｎｍから１５４４．４０ｎｍに波長シフトした。その波長変化に加えて、ピーク強度の滑らかな変化も確認された。
【００２６】
図８は実験例の光ファイバーを使用した屈折率変化の実験結果の説明図であり、横軸に屈折率（Refractive Index）をとり、縦軸に相対波長変化（Relative Wavelength Shift）を取ったグラフである。
図８において、図７で得られた波長シフトを使用して、各傾斜角度のＴＦＢＧにおける試料（空気及び各種液体）の屈折率に対する相対波長変化の結果を示す。図８において、ＴＦＢＧの中でも、最も大きな相関は８．０°のＴＦＢＧで得られた。角度が３．３°〜８．０°までは屈折率の変化に対して波長は大きく変化するようになっていったが、９．９°の場合には、その変化は８．０°の場合よりも少し小さくなった。
したがって、結果として、８．０°のＴＦＢＧが今回の実験では最良の感度であり、１．０〜１．４１の間で屈折率の計測が可能であることが確認された。また、実施例の製造装置１で作製された７．３°や９．９°のＴＦＢＧでも、８．０°のＴＦＢＧに比べて、感度は低いが、１．３２以上の屈折率しか計測できなかった従来技術に比べて、広い範囲の屈折率の計測が可能であることが確認された。
【００２７】
（変更例）
以上、本発明の実施例を詳述したが、本発明は、前記実施例に限定されるものではなく、特許請求の範囲に記載された本発明の要旨の範囲で、種々の変更を行うことが可能である。
例えば、前記実施例で例示した具体的な数値や材料名、光ファイバーの構成材料、選択する波長等は、実施例に例示した構成に限定されず、設計や仕様、測定対象物等に応じて、適宜変更可能である。
また、実施例では、レーザー光源として、Ｎｄ：ＹＡＧレーザーの４次高調波を例示したが、これに限定されず、波長２５０ｎｍ帯のコヒーレンスの高いレーザー光を発生可能な任意の光源を採用可能である。例えば、費用をかけることが可能であれば、Ａｒ＋レーザーの２次高調波や、不安定共振器を付加してコヒーレンスを高めたＫｒＦレーザー光を使用することも可能である。この他にも、Ａｒ＋レーザーやＫｒＦレーザーのような気体レーザーに比べて、低コストでコヒーレンスが高いレーザー光が得られやすいＹＬＦ（Yttrium Lithium Fluoride）レーザーの４次高調波やＹＶＯ４（Yttrium Vanadate）レーザーの４次高調波、チタンサファイアレーザーの３次高調波等の固体レーザーを採用することも可能である。
【産業上の利用可能性】
【００２８】
前記本発明のＴＦＢＧでは、光ファイバー１５を通じて、屈折率を遠隔から測定できるため、化学プロセス工場などの薬液の濃度管理などへの応用はもとより、光ファイバーという髪の毛より細い特性を利用して、人体や生体、動物などの、血液や体液等の状況把握などの医療分野への応用も期待できる。なお、実験例では、ＴＦＢＧの長手方向の長さを１０ｍｍで実験を行ったが、本発明者らの実験の結果、液体との接触部位の長さは、２．５ｍｍ程度でも１０ｍｍの場合と同等の透過光スペクトルが得られることが確認された。したがって、ＴＦＢＧを使用するセンサの小型化が可能であり、体内に挿入可能な非常に小型のセンサの作製も期待できる。
【符号の説明】
【００２９】
１…傾斜型ファイバーブラッググレーティングの製造装置、
２…レーザー光源、
２ａ…レーザー光、
３…Ｎｄ：ＹＡＧレーザー、
１４…位相マスク、
１４ａ…面、
１５…光ファイバー、
１５ａ…コア、
１５ｄ…傾斜型ファイバーブラッググレーティング、
１６…ステージ。
【図１】
2013054273.tif 000003
【図２】
2013054273.tif 000004
【図３】
2013054273.tif 000005
【図４】
2013054273.tif 000006
【図５】
2013054273.tif 000007
【図６】
2013054273.tif 000008
【図７】
2013054273.tif 000009
【図８】
2013054273.tif 000010